【手続補正書】
【提出日】平成29年2月2日(2017.2.2)
【手続補正１】
【補正対象書類名】明細書
【補正対象項目名】発明の名称
【補正方法】変更
【補正の内容】
【発明の名称】印刷管理サーバ、印刷管理システム、印刷管理方法、及びプログラム
【手続補正２】
【補正対象書類名】明細書
【補正対象項目名】００１４
【補正方法】変更
【補正の内容】
【００１４】
本発明は、携帯端末を用いて任意のプリンタに対して印刷を行うにあたり、当該プリンタに対応する印刷データを生成して、当該携帯端末からの印刷を容易に行うことが可能な印刷管理サーバ、印刷管理システム、印刷管理方法、及びプログラムを提供することを目的とする。
【手続補正３】
【補正対象書類名】明細書
【補正対象項目名】００１５
【補正方法】変更
【補正の内容】
【００１５】
本発明は、画像形成装置が存在するネットワーク外に存在し、印刷対象データであって、当該画像形成装置で印刷可能な印刷データを送信する印刷管理サーバであって、前記画像形成装置を識別可能な情報を記憶する画像形成装置情報記憶手段と、携帯端末からの要求に従って、当該携帯端末と同じネットワーク内にある画像形成装置を識別可能な情報を前記画像形成装置情報記憶手段から抽出する抽出手段と、前記抽出手段で抽出された画像形成装置を識別可能な情報を前記携帯端末に選択可能に表示制御させる画像形成装置選択表示制御手段と、前記画像形成装置選択表示制御手段により選択可能に表示制御された画像形成装置の内、前記携帯端末により選択された画像形成装置で印刷可能な印刷データを当該携帯端末へ送信する送信手段と、を有することを特徴とする。
【手続補正４】
【補正対象書類名】明細書
【補正対象項目名】００１６
【補正方法】変更
【補正の内容】
【００１６】
本発明によれば、携帯端末を用いて任意のプリンタに対して印刷を行うにあたり、当該プリンタに対応する印刷データを生成して、当該携帯端末からの印刷を容易に行うことができる、という効果を奏する。
【手続補正５】
【補正対象書類名】特許請求の範囲
【補正対象項目名】全文
【補正方法】変更
【補正の内容】
【特許請求の範囲】
【請求項１】
画像形成装置が存在するネットワーク外に存在し、印刷対象データであって、当該画像形成装置で印刷可能な印刷データを送信する印刷管理サーバであって、
前記画像形成装置を識別可能な情報を記憶する画像形成装置情報記憶手段と、
携帯端末からの要求に従って、当該携帯端末と同じネットワーク内にある画像形成装置を識別可能な情報を前記画像形成装置情報記憶手段から抽出する抽出手段と、
前記抽出手段で抽出された画像形成装置を識別可能な情報を前記携帯端末に選択可能に表示制御させる画像形成装置選択表示制御手段と、
前記画像形成装置選択表示制御手段により選択可能に表示制御された画像形成装置の内、前記携帯端末により選択された画像形成装置で印刷可能な印刷データを当該携帯端末へ送信する送信手段と、
を有することを特徴とする印刷管理サーバ。
【請求項２】
前記印刷対象データであって、当該画像形成装置で印刷可能な印刷データを送信する情報処理装置のアドレスを記憶する記憶手段と、
前記携帯端末の存在する前記ネットワーク内に前記情報処理装置があるか判断する判断手段と、
前記送信手段は、前記判断手段により前記ネットワーク内に前記情報処理装置がない場合に、前記携帯端末により選択された画像形成装置で印刷可能な印刷データを当該携帯端末へ送信することを特徴とする請求項１に記載の印刷管理サーバ。
【請求項３】
前記送信手段は、前記携帯端末により選択された画像形成装置で印刷可能な印刷データを、当該携帯端末を介して当該画像形成装置へ送信することを特徴とする請求項１に記載の印刷管理サーバ。
【請求項４】
前記送信手段は、前記判断手段により前記ネットワーク内に前記情報処理装置がある場合に、前記情報処理装置のアドレスを送信することを特徴とする請求項２または３に記載の印刷管理サーバ。
【請求項５】
前記判断手段は、前記携帯端末からの要求が通過したインターネットを接続するルータのアドレスと、前記記憶手段に記憶された前記ネットワーク内の情報処理装置がインターネットに接続する際に通過するルータのアドレスと、が一致すれば、ネットワーク内の情報処理装置が存在していると判断することを特徴とする請求項２乃至４の何れか１項に記載の印刷管理サーバ。
【請求項６】
前記記憶手段は、前記携帯端末から前記情報処理装置に印刷対象データを送信可能な情報を記憶することを特徴とする請求項２乃至５の何れか１項に記載の印刷管理サーバ。
【請求項７】
前記印刷対象データを前記画像形成装置が解釈可能なプリンタ言語で記述された印刷ジョブに変換する印刷ジョブ変換手段を有する印刷管理サーバであって、
前記判断手段により、前記携帯端末が通信可能に接続するネットワーク内に前記プリンタ言語の変換機能を備える情報処理装置が存在しないと判断された場合、前記印刷ジョブ変換手段は、前記携帯端末から印刷対象データを受信後、該印刷対象データをプリンタ言語に変換することを特徴とする請求項２乃至６の何れか１項に記載の印刷管理サーバ。
【請求項８】
画像形成装置が存在するネットワーク外に存在する印刷管理サーバを有する印刷管理システムにおいて、
前記印刷管理サーバは、
前記画像形成装置を識別可能な情報を記憶する画像形成装置情報記憶手段と
携帯端末からの要求に従って、当該携帯端末と同じネットワーク内にある画像形成装置を識別可能な情報を前記画像形成装置情報記憶手段から抽出する抽出手段と、
前記抽出手段で抽出された画像形成装置を識別可能な情報を前記携帯端末に選択可能に表示制御させる画像形成装置選択表示制御手段と、
前記携帯端末の選択受付手段により選択を受け付けた画像形成装置で印刷可能な印刷データを当該携帯端末へ送信する印刷管理サーバ送信手段と、
を有し、
前記携帯端末は、
前記印刷管理サーバへ前記ネットワーク内にある画像形成装置の候補を要求する画像形成装置候補要求手段と、
前記画像形成装置候補要求手段の要求に従って、前記画像形成装置選択表示制御手段によって表示制御された前記画像形成装置を識別可能な情報の選択を受け付ける選択受付手段と、
前記印刷管理サーバ送信手段によって送信された印刷データを受信する受信手段と、
前記受信手段によって受信した印刷データを選択された画像形成装置へ送信する携帯端末送信手段と、
を有することを特徴とする印刷管理システム。
【請求項９】
画像形成装置が存在するネットワーク外に存在し、印刷対象データであって、当該画像形成装置で印刷可能な印刷データを送信する印刷管理サーバの印刷管理方法であって、
前記印刷管理サーバは、
携帯端末からの要求に従って、当該携帯端末と同じネットワーク内にある画像形成装置を識別可能な情報を、前記画像形成装置を識別可能な情報を記憶する画像形成装置情報記憶手段から抽出する抽出ステップと、
前記抽出ステップで抽出された画像形成装置を識別可能な情報を前記携帯端末に選択可能に表示制御させる画像形成装置選択表示制御ステップと、
前記画像形成装置選択表示制御ステップにより選択可能に表示制御された画像形成装置の内、前記携帯端末により選択された画像形成装置で印刷可能な印刷データを当該携帯端末へ送信する送信ステップと、
を実行することを特徴とする印刷管理方法。
【請求項１０】
画像形成装置が存在するネットワーク外に存在し、印刷対象データであって、当該画像形成装置で印刷可能な印刷データを送信する印刷管理サーバで読み取り実行可能なプログラムであって、
前記印刷管理サーバを、
携帯端末からの要求に従って、当該携帯端末と同じネットワーク内にある画像形成装置を識別可能な情報を、前記画像形成装置を識別可能な情報を記憶する画像形成装置情報記憶手段から抽出する抽出手段と、
前記抽出手段で抽出された画像形成装置を識別可能な情報を前記携帯端末に選択可能に表示制御させる画像形成装置選択表示制御手段と、
前記画像形成装置選択表示制御手段により選択可能に表示制御された画像形成装置の内、前記携帯端末により選択された画像形成装置で印刷可能な印刷データを当該携帯端末へ送信する送信手段と、
して機能させるためのプログラム。
【請求項１１】
画像形成装置が存在するネットワーク外に存在する印刷管理サーバを有する印刷管理システムの印刷管理方法であって、
前記印刷管理サーバは、
携帯端末からの要求に従って、当該携帯端末と同じネットワーク内にある画像形成装置を識別可能な情報を、前記画像形成装置を識別可能な情報を記憶する画像形成装置情報記憶手段から抽出する抽出ステップと、
前記抽出ステップで抽出された画像形成装置を識別可能な情報を前記携帯端末に選択可能に表示制御させる画像形成装置選択表示制御ステップと、
前記携帯端末の選択受付ステップにより選択を受け付けた画像形成装置で印刷可能な印刷データを当該携帯端末へ送信する印刷管理サーバ送信ステップと、
を実行し、
前記携帯端末は、
前記印刷管理サーバへ前記ネットワーク内にある画像形成装置の候補を要求する画像形成装置候補要求ステップと、
前記画像形成装置候補要求ステップの要求に従って、前記画像形成装置選択表示制御ステップによって表示制御された前記画像形成装置を識別可能な情報の選択を受け付ける選択受付ステップと、
前記印刷管理サーバ送信ステップによって送信された印刷データを受信する受信ステップと、
前記受信ステップによって受信した印刷データを選択された画像形成装置へ送信する携帯端末送信ステップと、
を実行することを特徴とする印刷管理方法。
【請求項１２】
画像形成装置が存在するネットワーク外に存在する印刷管理サーバを有する印刷管理システムにおいて読み取り実行可能なプログラムであって、
前記印刷管理サーバを、
携帯端末からの要求に従って、当該携帯端末と同じネットワーク内にある画像形成装置を識別可能な情報を、前記画像形成装置を識別可能な情報を記憶する画像形成装置情報記憶手段から抽出する抽出手段と、
前記抽出手段で抽出された画像形成装置を識別可能な情報を前記携帯端末に選択可能に表示制御させる画像形成装置選択表示制御手段と、
前記携帯端末の選択受付手段により選択を受け付けた画像形成装置で印刷可能な印刷データを当該携帯端末へ送信する印刷管理サーバ送信手段と、
して機能させ、
前記携帯端末を、
前記印刷管理サーバへ前記ネットワーク内にある画像形成装置の候補を要求する画像形成装置候補要求手段と、
前記画像形成装置候補要求手段の要求に従って、前記画像形成装置選択表示制御手段によって表示制御された前記画像形成装置を識別可能な情報の選択を受け付ける選択受付手段と、
前記印刷管理サーバ送信手段によって送信された印刷データを受信する受信手段と、
前記受信手段によって受信した印刷データを選択された画像形成装置へ送信する携帯端末送信手段と、
して機能させるためのプログラム。